(57)【特許請求の範囲】
【請求項１】
ボード本体に、矩形枠状のベースフレームと、その正面側に支持する筆記ユニットとを備え、前記ベースフレームをスタンド上に連結して前記ボード本体を前記スタンドで支持するライティングボードにおいて、
前記スタンドの左右両側の垂直柱と前記ベースフレームの左右両側の垂直枠を、互いの連結部を同一外形形状としたパイプ材で形成し、
それら垂直柱と垂直枠を突き合わせ、双方の連結部内に挿入するジョイント部材で直線状に連結してなる、ライティングボード。
【請求項２】
書込み面を有するボード本体に矩形枠状のベースフレームを備えるライティングボードにおいて、
前記ベースフレームの左右両側の垂直枠をパイプ材で形成し、その垂直枠内にジョイント部材を挿入してその一部を下向きに突出し、前記垂直枠に掛け具を取り付け、壁面に取り付けてその掛け具を掛ける第１の壁掛用ブラケットを備えるとともに、前記ジョイント部材に取り付けて壁面に固定する第２の壁掛用ブラケットを備える、ライティングボード。
【請求項３】
前記垂直枠を化粧部材で覆ってなる、請求項１または２に記載のライティングボード。
【発明の詳細な説明】
【０００１】
【発明の属する技術分野】
この発明は、たとえば電子黒板・掲示板・伝言板など、筆記具を用いて書込み面に文字や絵等の書込みを行うライティングボードに関する。
【０００２】
【従来の技術】
従来、たとえば電子黒板の中には、複数のローラ間に書込み用のシートを掛け渡した扁平な黒板本体を備え、その黒板本体に有するベースフレームを、左右両側に垂直柱を有するスタンド上に連結し、そのスタンドで立てて黒板本体を支持するスタンド式のものがある。
【０００３】
そして、従来、そのようなスタンド式電子黒板では、たとえば図１１に示すように、符号１で示す黒板本体のベースフレーム２の下部左右両側を、スタンド３の左右垂直柱３ａで挟んでその上端部にねじ４で固定し、そのスタンド３上に直接ベースフレーム２を連結し、黒板本体１をスタンド３で支持していた。
【０００４】
また、図１２に示すように、矩形枠状ベースフレーム５の左右両側の垂直枠５ａに取付部材６を取り付け、その取付部材６をスタンド７の左右垂直柱７ａ上に溶接等で取り付け、そのスタンド７上に取付部材６を介してベースフレーム５を連結し、黒板本体をスタンド７で支持するものもある。
【０００５】
【発明が解決しようとする課題】
ところが、上述のような従来のものでは、いずれも黒板本体の左右両側でベースフレームとスタンドとの連結部がデザイン的に一体感のない外形形状となるため、外観上見栄えがよくないという課題があった。
【０００６】
【課題を解決するための手段】
そこで、請求項１に記載の発明のライティングボードは、たとえば以下の図１〜図６に示す実施の形態のように、ボード本体１０に、矩形枠状のベースフレーム１２と、その正面側に支持する筆記ユニット１４とを備え、前記ベースフレーム１２をスタンド１１上に連結して前記ボード本体を前記スタンド１１で支持するライティングボードにおいて、
前記スタンド１１の左右両側の垂直柱３０と前記ベースフレーム１２の左右両側の垂直枠３５を、互いの連結部３０ａ・３５ａを同一外形形状としたパイプ材で形成し、
それら垂直柱３０と垂直枠３５を突き合わせ、双方の連結部３０ａ・３５ａ内に挿入するジョイント部材４０で直線状に連結してなる、ことを特徴とする。
【０００７】
そして、スタンド１１にベースフレーム１２を取り付けるとき、垂直柱３０と垂直枠３５を突き合わせてジョイント部材４０を双方の連結部３０ａ・３５ａ内に挿入し、その同一外形形状をなす連結部３０ａ・３５ａにおいて、ジョイント部材４０で垂直枠３５と垂直柱３０とを直線状に連結する。
【０００８】
請求項２に記載の発明のライティングボードは、たとえば以下の図７に示す実施の形態のように、書込み面Ｐを有する黒板本体１０のようなボード本体に矩形枠状のベースフレーム１２を備えるライティングボードにおいて、前記ベースフレーム１２の左右両側の垂直枠３５をパイプ材で形成し、その垂直枠３５内にジョイント部材４０を挿入してその一部を下向きに突出し、前記垂直枠３５に掛け具５０を取り付け、壁面Ｄに取り付けてその掛け具５０を掛ける第１の壁掛用ブラケット５１を備えるとともに、前記ジョイント部材４０に取り付けて壁面Ｄに固定する第２の壁掛用ブラケット５２を備える、ことを特徴とする。
【０００９】
そして、たとえば壁掛け用として使用するときは、第１の壁掛用ブラケット５１を壁面Ｄに取り付ける一方、垂直枠３５に掛け具５０を取り付け、その掛け具５０を第１の壁掛用ブラケット５１に掛け、ジョイント部材４０に第２の壁掛用ブラケット５２を取り付け、その第２の壁掛用ブラケット５２を壁面Ｄに固定する。
【００１０】
請求項３に記載の発明は、請求項１または２に記載のライティングボードにおいて、たとえば以下の図８〜図１０に示す実施の形態のように、前記垂直枠３５を化粧部材５５で覆ってなる、ことを特徴とする。
【００１１】
【発明の実施の形態】
以下、図面を参照しつつ、この発明の実施の形態について説明する。
図５は、この発明の一実施の形態である電子黒板の外観斜視図であり、図６は、その内部機構を上から見て示す概略構成図である。
【００１２】
符号１０は、図示電子黒板の黒板本体（ボード本体）で、キャスタ付きスタンド１１で立てて移動自在に支持する。黒板本体１０は、全体をやや横長扁平に形成し、その背面側でスタンド１１上に取り付けるベースフレーム１２と、そのベースフレーム１２の正面側で支持する外枠ケース１３および筆記ユニット１４を備える。
【００１３】
また、ベースフレーム１２の下側には、プリンタ１５や細長い粉受け２１などを取り付ける。さらにベースフレーム１２には、読取装置１６を取り付けて支持する。読取装置１６は、蛍光灯１７と、ミラー１８と、レンズ１９と、光電変換素子２０などを備える。
【００１４】
外枠ケース１３は、その正面に大きな窓孔１３ａを設ける矩形枠状をなし、後側をベースフレーム１２に取り付けてなる。
【００１５】
筆記ユニット１４は、図６中右左両側に立てて設ける４本のローラ２２〜２５と、それらローラ２２〜２５間に掛け渡した書込みシート２７を備える。書込みシート２７は、その正面側を窓孔１３ａから臨ませてそこに書込み面Ｐを形成する。なお、図中符号２８は、書込みシート２７の裏側に設けて書込み面Ｐに裏当てする裏板である。
【００１６】
そして、上述した電子黒板を使用するときは、筆記具を用いて書込み面Ｐに文字や絵等の書込みを行う。
【００１７】
その書込み内容のコピーを取るときは、操作部のコピースイッチを操作し、不図示のモータを駆動して駆動ローラ２２を回転するとともに、従動ローラ２３〜２５を従動回転しながら、書込みシート２７を搬送し、その書込みシート２７に、読取装置１６の螢光灯１７から光を照射してその反射光をミラー１８で反射し、レンズ１９を透して光電変換素子２０に結像して書込み内容を読み取る。そして、読取装置１６からの信号をプリンタ１５に入れ、読取内容を縮小して用紙に記録しながらその用紙を排出する。
【００１８】
ところで、上述したスタンド１１は、たとえば複数の角パイプ材を用い、図１に示すように、左右両側に設ける横パイプ２９と、その横パイプ３０ａ上に立てて接続する垂直柱３０と、それら垂直柱３０の下端間に接続して設ける補強パイプ３１とで構成する。垂直柱３０の上端側に形成するベースフレーム１２との連結部３０ａには、その外側面ａにねじ穴３２を設けてなる。そして、横パイプ２９の両端下面には、それぞれキャスタ３３を取り付けてなる。
【００１９】
ベースフレーム１２は、左右両側に設ける垂直枠３５と、上下両側に設ける水平枠３６と、それら水平枠３６間に掛け渡して設ける補強フレーム３７〜３９とで構成する。
【００２０】
左右の垂直枠３５は、垂直柱３０と断面形状が同一のロ形角パイプでつくり、図中上端の外側面ｂにねじ穴４１を設けてなる。そして、図中下端側に形成する垂直柱３０との連結部３５ａに、ジョイント部材４０を取り付けてなる。
【００２１】
ジョイント部材４０は、双方の連結部３０ａ・３５ａに挿入できるように、それらロ形形状に合わせて折り曲げて、ほぼ角パイプ状に形成してなる。そして、上端部側を垂直枠３５の連結部３５ａに挿入してスポット溶接等で固定し、下端部側の嵌合部４０ａを図中下向きに突出させてなる。嵌合部４０ａには、その外側面ｃに垂直柱３０のねじ穴３２と対応するねじ穴４２を設けてなる。
【００２２】
上下の水平枠３６および補強フレーム３７〜３９は、それぞれコ形状のフレーム材からなる。
【００２３】
そして、上水平枠３６の両端を、その対向曲板部を下向きにして垂直枠３５の上端に溶接等で固定し、下水平枠３６の両端を、その対向曲板部を上向きにして垂直枠３５の下端に溶接等で固定して矩形枠状に形成する。そうして、上下の水平枠３６間に補強フレーム３７〜３９を掛け渡し、その上下両端を溶接等で固定してベースフレーム１２を形成してなる。
【００２４】
また、ベースフレーム１２には、補強フレーム３８・３９間に保持板４４を固定し、その保持板４４の正面側に、前記読取装置１６のレンズ１９および光電変換素子２０を取り付けてなる。さらに、図１中左側の垂直枠３５の右横に、それと平行に螢光灯１７およびミラー１８を立てて上下の水平枠３６間に取り付けてなる。
【００２５】
なお、ベースフレーム１２には、補強フレーム３７・３９の上端に、図２に示すようにフック部材４５を取り付けてなる。フック部材４５は、板金を折り曲げてつくり、コ状の取付板部４５ａと、その取付板部４５ａの下縁から図中手前に突出するＬ状のフック部４５ｂとで形成する。そして、取付板部４５ａを補強フレーム３７・３９にスポット溶接で固定し、図１に示すようにフック部４５ｂをベースフレーム１２の正面側に突出させてなる。なお、取付板部４５ａは、シーム溶接で固定してもよい、リベットカシメで固定してもよいし、たとえば図３に示すようにねじ止めしてもよい。
【００２６】
そして、上述した電子黒板を組みてるときは、図４に示すように、上述したベースフレーム１２の正面側に筆記ユニット１４を取り付ける。筆記ユニット１４は、上下両側のフレーム４６・４７と、その上下フレーム間に設ける不図示の補強フレームとからなる支持枠を備え、上下フレーム４６・４７で前記ローラ２２〜２５を回転自在に支持してなる。上下フレーム４６・４７は、ともに細長の板金を山形状に折り曲げてなり、そのうち上フレーム４６の左右両端側に掛止め穴４６ａを設けてなる。
【００２７】
しかして、その掛止め穴４６ａをフック部材４５のフック部４５ａに掛けて筆記ユニット１４を吊り下げ、上下フレーム４６・４７をそれぞれ上下の水平枠３６にねじ止めする。そして、ベースフレーム１２に前述した外枠ケース１３を被せて取り付ける。
【００２８】
しかる後、黒板本体１０を持ち上げてスタンド１１上に組み付ける。その場合、図１に示すように、ジョイント部材４０の嵌合部４０ａを垂直柱３０の連結部３０ａに挿入し、その上端縁に垂直枠３５の下端縁を突き当てて該垂直枠３５と垂直柱３０とを直線状に連結する。そして、ねじ穴３２・４２にねじ４９を通してベースフレーム１２をスタンド１１上に固定する。
【００２９】
ところで、上述した電子黒板は、黒板本体１０をスタンド１１で支持して使用するが、スタンド１１を用いず、黒板本体１０を壁に掛けて使用できるように構成することもできる。
【００３０】
その場合、この電子黒板には、たとえば図７に示すように、前述した黒板本体１０とともに、図中符号５０で示す掛け具と、符号５１で示す第１の壁掛用ブラケットと、符号５２で示す一対の第２の壁掛用ブラケットを備える構成とする。
【００３１】
掛け具５０としては、たとえば段付きねじを用いる。そして、その段付きねじ５０を、前記ベースフレーム１２の垂直枠３５のねじ穴４１にねじ込む。
【００３２】
第１の壁掛用ブラケット５１は、たとえば細長い板金の両端部を折り曲げてつくり、それら折曲片５１ａの上側にそれぞれ鍵穴状の切欠き５３を設けてなる。そして、折曲片５１ａ間に有する取付板部５１ｂを横に水平にして壁面Ｄにねじ止めしてなる。なお、取付板部５１ｂには、壁側の取付強度に応じてねじ止め位置を変えるべく、ねじ止め用の穴を複数設けてなる。
【００３３】
第２の壁掛用ブラケット５２は、それぞれ板金を曲げてつくり、片側に平板部５２ａを形成するとともに、他側に、前述したジョイント部材４０の嵌合部４０ａの形状に合わせて折り曲げたコ状の嵌付け部５２ｂを形成してなる。
【００３４】
そして、この電子黒板を壁掛け用として使用するときは、黒板本体１０を持ち上げ、段付きねじ５０の段部を第１の壁掛用ブラケット５１の切欠き５３に掛けて黒板本体１０を吊り下げる。それから、第２の壁掛用ブラケット５２の嵌付け部５２ｂをジョイント部材４０の嵌合部４０ａに嵌め付け、平板部５２ａが壁面Ｄに当接した位置で、嵌付け部５２ｂをねじ４９でねじ止めする。そうして、平板部５２ａを壁面Ｄにねじ止めする。
【００３５】
一方、この電子黒板をスタンド１１で支持して使用するときは、第２の壁掛用ブラケット５２を外し、前述したようにスタンド１１上にジョイント部材４０を介して黒板本体１０を取り付ける。
【００３６】
ところで、上述した電子黒板では、たとえば図８に示すように、上記垂直枠３５の外側面ｂに、前記スタンド１１と同一色の、たとえば樹脂製シート材からなる化粧部材５５を貼り付けて垂直枠３５の外側面ｂを覆うようにするとよい。仮に垂直枠３５を塗装した場合には、それに傷が付くと、その傷が目立つ弊害があるが、そのように垂直枠３５を化粧部材５５で覆うと、傷が付いても比較的目立ち難く、外観上好ましいという利点がある。
【００３７】
また、その場合には、図９に示すように、樹脂製板材を山形形状に折り曲げた化粧部材５５を垂直枠３５にねじ５９で止めて覆うようにしてもよい。或いは、図１０に示すように、ほぼコ形状に折り曲げた樹脂製の化粧部材５５を垂直枠３５に嵌め込んで覆うようにしてもよい。
【００３８】
【発明の効果】
したがって、請求項１に記載の発明によれば、ベースフレームの垂直枠とスタンドの垂直柱を、互いの連結部を同一外形形状としたパイプ材で形成し、その連結部において突き合わせて垂直枠と垂直柱とを直線状に連結することから、ボード本体の左右両側でベースフレームとスタンドとの連結部がデザイン的に一体感のあるスッキリした外形形状となり、それだけ外観上の見栄えをよくすることができる。
【００３９】
請求項２に記載の発明によれば、ベースフレームには、その垂直枠に掛け具を取り付け、ジョイント部材に壁掛用ブラケットを１つ取り付けるだけの簡略な構成とするため、それだけ部品点数が少なくて済み、ボード本体の周りを壁掛用部材の少ないスッキリとした外形形状となり、それだけ外観上の見栄えをよくすることができる。
【００４０】
請求項３に記載の発明によれば、加えて、垂直枠を化粧部材で覆い、塗装しない構成とするため、化粧部材に傷が付いたとしても、塗装に傷が付いた場合と比べると、傷が比較的目立たず、外観上の見栄えが低下することを防ぐことができる。
【図面の簡単な説明】
【図１】この発明の一実施の形態を示し、その電子黒板を、スタンドおよびベースフレーム以外の構成部品を省略して示す斜視図である。
【図２】そのベースフレームに備える補強フレームの上端のフック構造を示す斜視図である。
【図３】その補強フレームのフック構造の他例を示す斜視図である。
【図４】上記電子黒板を、スタンドとベースフレームと筆記ユニット以外の構成部品を省略して示す斜視図である。
【図５】その電子黒板の使用状態の全体斜視図である。
【図６】その電子黒板の内部機構を上から見て示す概略構成図である。
【図７】請求項２に記載の発明の一実施の形態で、その電子黒板の黒板本体と、壁掛用の各部材を示す斜視図である。
【図８】請求項３に記載の発明の一実施の形態で、その電子黒板に備えるベースフレームの垂直枠を化粧部材で覆う状態を示す斜視図である。
【図９】その他例を示す斜視図である。
【図１０】さらに別の他例を示す斜視図である。
【図１１】従来の電子黒板において、そのベースフレームとスタンドとの取付構造を示す部分斜視図である。
【図１２】他の従来の電子黒板において、そのスタンドと、取付部材を取り付けたベースフレームを示す斜視図である。
【符号の説明】
１０            黒板本体（ボード本体）
１１            スタンド
１２            ベースフレーム
３０            垂直柱
３０ａ・３５ａ  連結部
３５            垂直枠
４０            ジョイント部材
５０            掛け具
５１            第１の壁掛用ブラケット
５２            第２の壁掛用ブラケット
５５            化粧部材
Ｐ              書込み面
【図１】
0003891650.tif 000002
【図２】
0003891650.tif 000003
【図３】
0003891650.tif 000004
【図４】
0003891650.tif 000005
【図５】
0003891650.tif 000006
【図６】
0003891650.tif 000007
【図７】
0003891650.tif 000008
【図８】
0003891650.tif 000009
【図９】
0003891650.tif 000010
【図１０】
0003891650.tif 000011
【図１１】
0003891650.tif 000012
【図１２】
0003891650.tif 000013